(57)【要約】殺菌用のワイプが、フレキシブル基板及びこの基板上に集積された殺菌イオン源を含む。フレキシブル基板は、全体的または部分的に、織布製、不織布製、合成繊維織布製、合成繊維不織布製、または天然繊維布製である。殺菌イオン源は、水溶液中に溶解して殺菌溶液を形成するように構成されている。フレキシブル基板は、殺菌溶液を吸収して清浄化に使用されるように構成されている。
2016530910.tif 000002
【特許請求の範囲】
【請求項１】
殺菌用のワイプであって、
フレキシブル基板と、
前記フレキシブル基板上に集積された殺菌イオン源とを具え、
前記フレキシブル基板は、全体的または部分的に織布製、不織布製、合成繊維織布製、合成繊維不織布製、または天然繊維布製であり、
前記殺菌イオン源は、水溶液中に溶解して殺菌溶液を形成するように構成され、前記フレキシブル基板は、前記殺菌溶液を吸収して清浄化に使用されるように構成されていることを特徴とするワイプ。
【請求項２】
前記殺菌イオン源が殺菌材料を含み、この殺菌材料が前記フレキシブル基板内に埋め込まれていることを特徴とする請求項１に記載のワイプ。
【請求項３】
前記殺菌材料が、ジクロロイソシアン酸ナトリウム、ペルオキシ一硫酸カリウム、次亜塩素酸カルシウム、塩化ベンザルコニウム、塩化ドデシルジメチルベンジルアンモニウム、塩化ラウリルジメチルベンジルアンモニウム、第四アンモニウム塩、及び過炭酸ナトリウムのうち少なくとも１つを含むことを特徴とする請求項２に記載のワイプ。
【請求項４】
前記殺菌材料が銀イオン源を含み、この銀イオン源が、クエン酸二水素銀、硝酸銀、フッ化銀、酢酸銀、過マンガン酸銀、硫化銀、亜硝酸銀、臭化銀、サリチル酸銀、ヨウ素酸銀、重クロム酸銀、クロム酸銀、炭酸銀、クエン酸銀、リン酸銀、及び塩化銀のうち少なくとも１つをさらに含むことを特徴とする請求項２に記載のワイプ。
【請求項５】
前記銀イオン源が前記水溶液中に溶解して、銀イオン殺菌溶液を生じさせることを特徴とする請求項４に記載のワイプ。
【請求項６】
前記フレキシブル基板がポケットを具え、このポケットが前記殺菌材料を含むように構成されていることを特徴とする請求項２に記載のワイプ。
【請求項７】
前記フレキシブル基板が第１層及び第２層を具え、前記ポケットが、前記フレキシブル基板の前記第１層と前記第２層との間に形成されることを特徴とする請求項６に記載のワイプ。
【請求項８】
前記ワイプが、前記フレキシブル基板内に埋め込まれた研磨材をさらに具え、この研磨材は、セラミック、ガラス、ミネラル、合成石、天然繊維、研磨剤、金属ペレット、及びシリカのうち少なくとも１つで構成されることを特徴とする請求項１に記載のワイプ。
【請求項９】
殺菌用のワイプであって、
フレキシブル基板と、
陽極及び陰極とを具え、
前記フレキシブル基板は、全体的または部分的に織布製、不織布製、合成繊維織布製、合成繊維不織布製、または天然繊維布製であり、
前記陽極及び前記陰極は前記フレキシブル基板に取り付けられ、前記陽極、前記陰極、及び前記フレキシブル基板のうち少なくとも１つが殺菌イオン源を具え、
前記ワイプは、前記陽極及び前記陰極に水溶液が接触するとガルバニ電池を形成するように構成され、
前記ガルバニ電池は、前記殺菌イオン源により殺菌溶液を生成するように構成されていることを特徴とするワイプ。
【請求項１０】
前記陽極が、Zn、Mg、及びAlのうち少なくとも１つを含み、前記陽極及び前記陰極の少なくとも一方が前記フレキシブル基板上に印刷されていることを特徴とする請求項９に記載のワイプ。
【請求項１１】
前記陰極が、AgO、AgCl、AgBr、及びAg2Oのうち少なくとも１つを含み、前記陽極及び前記陰極の少なくとも一方が前記フレキシブル基板上に印刷されていることを特徴とする請求項９に記載のワイプ。
【請求項１２】
前記イオン源が塩化ナトリウムであり、前記ガルバニ電池が、前記水溶液の存在下で前記塩化ナトリウムを次亜塩素酸ナトリウムに変化させることを特徴とする請求項９に記載のワイプ。
【請求項１３】
前記陽極及び前記陰極が、前記フレキシブル基板の第１面の互いに対向する端部上に印刷されていることを特徴とする請求項９に記載のワイプ。
【請求項１４】
殺菌用のワイプであって、
フレキシブル基板と、
陽極及び陰極と、
前記陽極及び陰極に通電すべく動作する電源を具え、
前記フレキシブル基板は、全体的または部分的に織布製、不織布製、合成繊維織布製、合成繊維不織布製、または天然繊維布製であり、
前記陽極及び前記陰極は前記フレキシブル基板に取り付けられ、前記陽極、前記陰極、及び前記フレキシブル基板のうち少なくとも１つが殺菌イオン源を具え、
前記陽極、前記陰極、及び前記殺菌イオン源は、水溶液が前記陽極及び前記陰極に接触すると電解質電池を形成するように構成され、
前記電解質電池の反応は、殺菌溶液を生成するように構成されていることを特徴とするワイプ。
【請求項１５】
前記陽極が、少なくとも部分的に、酸化して殺菌イオン溶液になることができる酸化可能な化合物を含むことを特徴とする請求項１４に記載のワイプ。
【請求項１６】
前記酸化可能な化合物が酸化可能な銀を含み、前記殺菌イオン溶液が銀イオンを含むことを特徴とする請求項１５に記載のワイプ。
【請求項１７】
前記酸化可能な化合物は、前記陽極及び前記陰極が塩化ナトリウム溶液と接触すると、前記電解質電池が次亜塩素酸ナトリウムの殺菌溶液を生成するように構成されていることを特徴とする請求項１５に記載のワイプ。
【請求項１８】
前記電解質電池が、さらに、当該電解質電池の活性化時にオゾン化水の殺菌溶液を生成するように構成されていることを特徴とする請求項１４に記載のワイプ。
【請求項１９】
前記フレキシブル基板が第１層及び第２層を具え、前記陽極及び前記陰極が、前記フレキシブル基板の前記第１層と前記第２層との間に埋め込まれていることを特徴とする請求項１４に記載のワイプ。
【請求項２０】
前記電源がハンドル内に集積され、このハンドルは前記陽極及び前記陰極と電気が通じるように構成され、前記電源が前記陽極及び前記陰極から着脱可能であるように構成されていることを特徴とする請求項１４に記載のワイプ。
【発明の詳細な説明】
【技術分野】
【０００１】
本願は、米国特許仮出願第６１／８３９９８６号、２０１３年６月２７日出願、及び米国特許仮出願第６１／８４６１６４号、２０１３年７月１５日出願に基づいて優先権を主張し、各々はその全文を参照する形で本明細書に含める。
【０００２】
本発明は殺菌ワイプ（拭取用シート）に関するものである。特に、本発明は、水溶液に晒されると活性化されるように構成された殺菌ワイプに関するものである。
【背景技術】
【０００３】
種々の用途に用いられる多数の物体及び表面が、清浄な表面及び除染プロセスを必要とする。除染した表面は、病院及び他の医療環境、工業生産環境、研究所の環境、作業スペース、個人スペース、及び他の同様な環境で用いられる。殺菌剤は、物体及び表面上のバクテリアを殺し、殺菌剤付きのワイプは、単純かつ効率的な除染を可能にする。
【発明の概要】
【課題を解決するための手段】
【０００４】
殺菌用ワイプの好適例を説明する。１つの好適例では、殺菌用ワイプが、フレキシブル基板及びこの基板上に集積された殺菌イオン源を含む。このフレキシブル基板は、全体的または部分的に織布製、不織布製、合成繊維織布製、合成繊維不織布製、または天然繊維布製である。この殺菌イオン源は、水溶液中に溶解して殺菌溶液を形成するように構成されている。このフレキシブル基板は、殺菌溶液を吸収して清浄化に使用されるように構成されている。殺菌用ワイプの他の好適例も説明する。
【０００５】
１つの好適例では、殺菌用ワイプが、フレキシブル基板、及びこのフレキシブル基板に取り付けられた陽極（アノード）及び陰極（カソード）を含む。このフレキシブル基板は、全体的又は部分的に織布製、不織布製、合成繊維織布製、合成繊維不織布製、または天然繊維布製である。これらの陽極、陰極、及びフレキシブル基板の少なくとも１つが殺菌イオン源を具え、上記ワイプは、水溶液が陽極及び陰極に接触するとガルバニ電池を形成するように構成されている。このガルバニ電池は、上記殺菌イオン源により殺菌溶液を生成するように構成されている。殺菌用ワイプの他の好適例も説明する。
【０００６】
１つの好適例では、殺菌用ワイプが、フレキシブル基板、このフレキシブル基板に取り付けられた陽極及び陰極、及びこれらの陽極及び陰極に通電すべく動作する電源を含む。このフレキシブル基板は、全体的または部分的に織布製、不織布製、合成繊維織布製、合成繊維不織布製、または天然繊維布製である。これらの陽極、陰極、及びフレキシブル基板の少なくとも１つが殺菌イオン源を具えている。これらの陽極、陰極、及び殺菌イオン源は、水溶液が陽極及び陰極に接触すると電解質電池を形成するように構成され、この電解質電池の反応は、殺菌溶液を生成するように構成されている。殺菌用ワイプの他の好適例も説明する。これらのワイプを使用する方法の好適例も説明する。
【０００７】
本発明の他の態様及び利点は、添付する図面を参照した以下の詳細な説明より明らかになり、これらの図面は本発明の一例を図示する。
【図面の簡単な説明】
【０００８】
【図１】殺菌ワイプの一実施形態の概略図である。
【図２】殺菌装置の一実施形態の概略図である
【図３】殺菌装置の基板及び殺菌材料の一具体例を示す図である。
【図４Ａ】殺菌装置の、ポケットを含む基板及び殺菌材料の一具体例を示す図である。
【図４Ｂ】基板及び２層間の殺菌材料の一具体例を示す図である。
【図５Ａ】図２のコンテナの一具体例を示す図である。
【図５Ｂ】図２のコンテナの一具体例を示す図である。
【図６】図２のバッテリの一具体例を示す図である。
【図７】図３の電解質電池の一具体例を示す図である。
【図８】基板に接続されたバッテリ及び電解質電池の一具体例を示す図である。
【図９Ａ】図２のハンドルの一具体例を示す図である。
【図９Ｂ】図２のハンドルの他の具体例を示す図である。
【図９Ｃ】図２のハンドルの他の具体例を示す図である。
【発明を実施するための形態】
【０００９】
説明全体を通して、同様な要素は同様の参照番号を用いて識別する。
【００１０】
本明細書で大まかに説明し添付した図面中に図示する実施形態の構成要素は、多種多様な異なる形態に構成し設計することができることは容易に理解される。従って、図面中に提示する種々の実施形態の以下のより詳細な説明は、本発明の範囲を限定することを意図したものではなく、種々の実施形態の代表例に過ぎない。図面中には実施形態の種々の態様を提示するが、これらの図面は、特に断りのない限り、必ずしも現寸に比例して描いたものではない。
【００１１】
本発明は、その精神及び本質的特徴から逸脱することなしに、他の特定形態に具体化することができる。説明する実施形態は、あらゆる面で例示に過ぎず限定的でないものと考えるべきである。従って、本発明の範囲は、この詳細な説明ではなく添付した特許請求の範囲によって示される。特許請求の範囲の等価物の意味及び範囲内に入るすべての変更が、特許請求の範囲内に包含される。
【００１２】
本明細書全体を通して、特徴、利点、あるいは類似の文言の参照は、本発明により実現される特徴及び利点のすべてが、本発明のいずれの単一の実施形態にも存在すべきであること、あるいは存在することを暗に意味するものではない。むしろ、これらの特徴及び利点を参照する文言は、実施形態に関連して記載する個別の特徴、利点、または特性が本発明の少なくとも１つの実施形態に含まれることを意味するものと理解すべきである。従って、本明細書全体を通して、特徴及び利点の説明、及び類似の文言は、同じ実施形態を参照することがあるが、必ずしもそうではない。
【００１３】
さらに、説明する本発明の特徴、利点、及び特性は、１つ以上の実施形態においてあらゆる適切な様式で組み合わせることができる。特定実施形態の個別の特徴または利点のうち１つ以上なしに本発明を実施することができることは、関連技術における当業者が本明細書中の説明を考慮すれば認める所である。他の例では、本発明の必ずしもすべての実施形態に存在しない追加的な特徴及び利点を、特定実施形態において認識することができる。
【００１４】
本明細書全体を通して、「一実施形態」、「ある実施形態」または類似の文言の参照は、図示する実施形態に関連して説明する個別の特徴、構造、または特性が、本発明の少なくとも１つの実施形態に含まれることを意味する。従って、「一実施形態では」、「ある実施形態では」及び類似の文言のすべてが同じ実施形態を参照することがあるが、必ずしもそうではない。
【００１５】
本明細書では多数の実施形態を説明するが、説明する実施形態の少なくとも一部は殺菌ワイプに関するものである。一部の実施形態は、フレキシブル基板または布に接続されるかその中に埋め込まれる殺菌材料を含み、この殺菌材料は、水溶液に晒されると溶解して殺菌溶液になり、この殺菌溶液は布に吸収されて清浄化に使用される。一部の実施形態は、フレキシブル基板または布に接続されるかその内部に埋め込まれるガルバニ電池または電解質電池を利用し、このガルバニ電池または電解質電池は、水溶液に晒されると殺菌イオン源を殺菌溶液に変換し、この殺菌溶液は布に吸収されて清浄化に使用される。一部の実施形態はフレキシブル基板または布を含み、ガルバニ電池の少なくとも一部分がこのフレキシブル基板または布に接続されるかその内部に埋め込まれ、陽極、陰極、または基板が殺菌イオン源を含み、陽極及び陰極が水溶液に晒されると、この殺菌イオン源が殺菌溶液に変換され、この殺菌溶液は布によって吸収されて清浄化に使用される。一部の実施形態はフレキシブル基板または布を含み、電解質電池の少なくとも一部分がこのフレキシブル基板または布に接続されるかその内部に埋め込まれ、陽極、陰極、または基板が殺菌イオン源を含み、陽極及び陰極が水溶液に晒され電源に接続されると、この殺菌イオン源が殺菌溶液に変換され、この殺菌溶液は布に吸収されて清浄化に使用される。
【００１６】
一部の実施形態は、殺菌ワイプを不活性状態で保存し、ワイプの使用直前に活性化することを可能にする。一部の実施形態は、水溶液との接触時にワイプを活性化することを可能にする。ワイプの活性化は、殺菌イオン源（または殺菌材料）を殺菌溶液に変換し、この殺菌溶液はワイプに吸収されて、物体及び表面を拭いて清浄化するために使用される。一部の実施形態は、上記殺菌溶液がより良好な殺菌結果を保証するのに最適なレベルにある時点を監視して知らせることを可能にする。
【００１７】
銀イオンを含む殺菌溶液は、他の殺菌溶液に対するいくつかの利点を有する有効な殺菌剤である。殺菌溶液は、バクテリア、抗生物質耐性バクテリア、ウィルス、及び真菌類を含む種々の病原菌を効果的に殺菌する。銀イオン殺菌溶液は、人間、ペット、家畜、及び環境に対する毒性が非常に低い。銀イオン殺菌溶液は、一般に不燃性、非腐食性、無臭、無煙、及び非皮膚刺激性である。銀イオン殺菌溶液は、一般にアルコール、漂白剤、または他の毒性成分の添加を必要としない。
【００１８】
以下に説明する図面は、殺菌ワイプ及び電気化学的に活性化される殺菌ワイプのいくつかの実施形態を表すが、こうしたワイプの非限定的な代表例、及び個別に説明する要素の互いに対する配置及びワイプ全体に対する配置の非限定的な代表例として解釈すべきである。これらの要素は、単なる例示目的で、かつ単に説明を容易にするために、互いに対して、及びワイプ全体に対して示す。これらの個別の詳細事項を採用せずに、ワイプ、及び関連するワイプの使用方法を用いることができることは、当業者の理解する所である。
【００１９】
図１に、殺菌ワイプ１００の一実施形態の概略図を示す。例示するワイプ１００は、特定構成要素により、機能的に、かつ特定構成要素に関連して図示し説明するが、ワイプ１００の他の実施形態は、より少数またはより多数の構成要素を含んで、より少数またはより多数の機能を実現することができる。
【００２０】
図示する実施形態では、ワイプ１００が基板１０２及び殺菌イオン源１０４を具えている。一部の実施形態では。水溶液１０８が殺菌イオン源１０４に接触すると、殺菌イオン源１０４が溶解して殺菌イオン溶液１１０になる。基板１０２はフレキシブルまたは堅固にすることができる。一部の実施形態では、基板１０２が織布で構成される。一部の実施形態では、基板１０２が不織布で構成される。一部の実施形態では、基板１０２が合成繊維織布で構成される。一部の実施形態では、基板１０２が合成繊維不織布で構成される。一部の実施形態では、基板１０２が天然繊維布で構成される。一部の実施形態では、基板１０２が単一用途向けに構成される。一部の実施形態では、基板１０２が多用途向けに構成される。一部の実施形態では、基板１０２が片手で使用するサイズに構成される。
【００２１】
図示する基板１０２は織布で構成される。基板１０２は水溶液１０８（例えば水または他の適切な溶液）で濡らされる。水または他の適切な溶液は、殺菌イオン源１０４を活性化して殺菌イオン溶液１１０中に殺菌イオンを生成し、殺菌イオン溶液１１０は基板１０２内に吸収される。基板１０２及び吸収された殺菌イオン溶液１１０を用いて表面を殺菌する。殺菌とは、対細菌及び対真菌を含むことは当業者が容易に理解する所である。
【００２２】
一部の実施形態では、ワイプ１００を使用する方法が、基板１０２を水溶液１０８で濡らすステップと、殺菌イオン源１０４を活性化して殺菌溶液１１０を生成するステップと、基板１０２及び吸収された殺菌溶液１１０で表面を殺菌するステップとを含む。
【００２３】
図示する実施形態では、イオン源１０４が殺菌材料を具えている。ここで用いることができる殺菌材料、殺菌剤、及び／または洗浄剤の非限定的な例は、ペルオキシ硫酸カリウム、炭化カルシウム、及び塩化ベンザルコニウム、塩化ドデシルトリメチルアンモニウム、及び塩化ラウリルジメチルベンジルアンモニウムのような第４級アンモニウム化合物を含む。一部の実施形態では、イオン源１０４は銀イオン源とすることができ、そして十分な量の所望の活性剤に置き換えて、以上に開示したのとほぼ同様の方法で用いることができる。
【００２４】
一部の実施形態では、殺菌イオン材料１０４が、クエン酸二水素銀、硝酸銀、フッ化銀、酢酸銀、過マンガン酸銀、硫化銀、亜硝酸銀、臭化銀、サリチル酸銀、ヨウ素酸銀、重クロム酸銀、クロム酸銀、炭酸銀、クエン酸銀、リン酸銀、塩化銀、及びそれらの混合物から選択した銀イオン源である。
【００２５】
一部の実施形態では、殺菌材料１０４が、次のもののうち少なくとも１つである：ジクロロイソシアン酸ナトリウム、ペルオキシ一硫酸カリウム、次亜塩素酸カルシウム、塩化ベンザルコニウム、塩化ドデシルジメチルベンジルアンモニウム、塩化ラウリルジメチルベンジルアンモニウム、第四アンモニウム塩、及び過炭酸ナトリウム。
【００２６】
一部の実施形態では、イオン源１０４が、銀イオン殺菌溶液中の銀イオンが最適濃度に近づくように構成される。一部の実施形態では、銀イオンの最適濃度が約０．０３g/Lである。一部の実施形態では、銀イオンの最適濃度が約０．０２〜０．０４g/Lである。一部の実施形態では、銀イオンの最適濃度が約０．００１〜０．０５g/Lである。一部の実施形態では、イオン源１０２が、銀化合物と、この銀化合物と同様に対イオンを含むイオン化合物との混合物を含む。一部の実施形態では、イオン源１０４が、銀化合物と、この銀化合物と共通の対イオンを含むイオン化合物との混合物を含み、この混合物は、この共通イオン効果によって銀イオンの対イオンの最適濃度が維持されるように形成されている。一部の実施形態では、イオン源１０４が、より溶解性の高い銀化合物とより溶解性の低い銀化合物との混合物を含む。一部の実施形態では、イオン源１０４が、より溶解性の高い銀化合物とより溶解性の低い銀化合物との混合物を含み、この混合物は、銀イオン殺菌溶液中で銀イオンの最適濃度が維持されるように形成されている。
【００２７】
一部の実施形態では、イオン源１０４が、固形、粒状、粉末状、ペレット状、及び／またはマトリクス形状に構成される。一部の実施形態では、上記マトリクス形状が、イオンの低速放出を可能にするように構成されている。一部の実施形態では、イオン源１０４がフレキシブル基板１０２内に埋め込まれるように構成されている。一部の実施形態では、イオン源１０４が、フレキシブル基板１０２上にインクの形態で印刷されるように構成されている。一部の実施形態では、製造上の利便性のために、銀イオン源インクをフレキシブル基板１０２上にインクジェット印刷することができる。一部の実施形態では、殺菌材料１０６がナノ粒子で構成される。これらのナノ粒子は瞬間溶解性である。一部の実施形態では、殺菌材料１０６を異なるサイズの組合せにして、異なる速度での溶解を可能にすることができる。例えば、殺菌材料１０６の一部分を、水溶液１０８中に瞬間的に溶解するように構成されたナノ粒子にすると共に、殺菌材料１０６の他の部分は、より低速で溶解する他の形態にすることができる。
【００２８】
より溶解性の高い銀化合物及び／またはより溶解性の低い銀化合物及び／または他の化合物を組み合わせて、溶解時に最適な銀イオン濃度を達成する銀イオン源１０４を形成することができることは、当業者の理解する所である。一部の実施形態では、銀化合物を組み合わせて、最適な銀イオン濃度を達成する銀イオン源を形成することができる。より溶解性の高い銀化合物をより溶解性の低い銀化合物と組み合わせて、最適な銀イオン濃度を達成する銀イオン源１０４を形成することができることは、当業者の理解する所である。
【００２９】
例として、銀イオン源１０４が単一の銀化合物を、フレキシブル基板１０２上に印刷して乾かすことができるインクの形態で含む。上記固体マトリクスは溶解性銀イオン源１０４を含み、この銀イオン源１０４は、溶解して銀イオンを形成し、単一のワイプ１００用に十分な銀イオン殺菌溶液１１０を生成する。この例では、単一の銀化合物１０６が炭酸銀であり、当該化合物の７８．２３％が銀イオンを含む化合物について０．０３３g/Lの溶解度を有する。従って、炭酸銀の飽和溶液は、約０．０２６g/Lの銀イオン濃度を有する。この０．０２６g/Lの銀イオン濃度は、本明細書に開示する約０．０２〜０．０４g/Lの最適な銀イオン濃度内であり、従って、炭酸銀の飽和溶液は、銀イオン殺菌溶液１１０の生成用の殺菌材料として有効である。この銀イオン源インクは、印刷時に、単一のワイプ１００が少なくとも約０．００００６６gの炭酸銀を含むように形成される。次に、印刷済のワイプを２mlの蒸留水（水溶液１０８）で濡らし、銀イオン源インクが溶解して銀イオン殺菌溶液１１０を生成することができる。最後に、ワイプ１００を用いて表面を殺菌する。
【００３０】
他の例として、前の例のプロトコルには、溶解性の高い硝酸銀は単一の銀化合物で構成される、という例外が加わる。硝酸銀は、当該化合物の６３．５％が銀イオンを含む化合物について２５７０g/Lの溶解度を有する。２mlの水中に約０．０３g/Lの銀イオンの最適な銀イオン濃度を達成するためには、０．００００６gの銀イオンを溶解用に利用可能にする必要がある。必要とされる０．００００６gの利用可能な銀イオンを提供するために、０．００００９４５gの硝酸銀をフレキシブル基板１０２上に印刷する。上記プロトコルの他のすべてのステップは、前の例のように実行する。
【００３１】
他の例として、前の２例のプロトコルには、サリチル酸銀が単一の銀化合物（殺菌材料１０６）で構成されるという例外が加わる。サリチル酸銀は、当該化合物の４４．０２％が銀イオンを含む化合物について０．９５g/Lの溶解度を有する。２mlの水中に約０．０３g/Lの最適な銀イオン濃度を達成するためには、０．００００６gの銀イオンを溶解用に利用可能にする必要がある。必要とされる０．００００６gの利用可能な銀イオンを提供するために、０．０００１３６gのサリチル酸銀をフレキシブル基板１０２上に印刷する。上記プロトコルの他のすべてのステップは、前の例のように実行する。
【００３２】
以上は、その場で調合され、必要に応じて銀イオン源１０４から得られる銀イオンを含む殺菌溶液、殺菌剤、及び／または洗浄溶液を開示するが、開示する実施形態は、以上に開示した原理に従って固体活性原料を水溶液１０８中に溶解することによって調合することができる（以上に開示した）非銀系の殺菌材料、殺菌剤、及び／または洗浄溶液に関して有利に用いることができる。
【００３３】
一部の実施形態では、非銀系の殺菌材料１０６が、インクの形態でフレキシブル基板１０２上に印刷するように構成されている。製造上の利便性のために、非銀系の殺菌材料１０６の固体活性原料をフレキシブル基板１０２上にスクリーン印刷して、殺菌ワイプ１００を作製することができる。
【００３４】
一部の実施形態では、基板１０２を濡らすのに適した水溶液１０８は、水道水、精製水、脱イオン水、及び／または蒸留水とすることができる。一部の実施形態では、基板１０２を濡らすのに適した水溶液１０８が酸性溶液である。一部の実施形態では、基板１０２を濡らすのに適した水溶液１０８が弱酸の溶液である。一部の実施形態では、基板１０２を濡らすのに適した水溶液１０８が有機酸溶液である。一部の実施形態では、基板１０２を濡らすのに適した水溶液１０８がクエン酸溶液である。一部の実施形態では、基板１０２を濡らすのに適した水溶液１０８が、柑橘果実からの果汁で調合したクエン酸溶液である。他の実施形態では、基板１０２を濡らすのに適した水溶液１０８がイオン溶液である。他の実施形態では、基板１０２を濡らすのに適した水溶液１０８が塩化ナトリウム溶液である。他の実施形態では、基板１０２を濡らすのに適した水溶液１０８が食塩水である。「水溶液１０８」が前の溶液の具体例を含むことは、当業者が容易に認める所である。
【００３５】
一部の実施形態は電源１３０を含み、電源１３０は、基板１０２に刻印されるか埋め込まれた電極に交流電流を供給する。交流電界を生成して表面をさらに殺菌して、殺菌溶液１１０の殺菌機能に加えて、微生物増殖を抑制する。以下でより十分に説明するように、電極はフレキシブル基板１０２に印刷するか埋め込むことができる。外部電源１３０を用いて交流電界を生成することができる。外部電源１３０は、以下でより十分に説明するハンドルまたは他の装置の一部とすることができる。こうした実施形態では、外部電源１３０は、交流電流を発生するあらゆるものとすることができる。一例では、バッテリ及びＤＣ−ＡＣ電力インバータを用いることができる。
【００３６】
図２に、殺菌ワイプ２００の他の実施形態の概略図を示す。例示するワイプ２００は、特定構成要素により、機能的に、かつ特定構成要素に関連して図示し説明するが、ワイプ２００の他の実施形態は、より少数またはより多数の構成要素を含んで、より少数またはより多数の機能を実現することができる。図示する実施形態２００は、図示した実施形態１００と同様の構成要素及び機能を含む。
【００３７】
図２は、以下でより十分に説明する種々の構成要素及び機能を示しているが、必ずしもすべての実施形態が、図示する構成要素のすべてを含むとは限らない。一部の実施形態は、記載する構成要素の一部しか含まずに、記載する機能を実現する。一例として、以下に説明する種々の構成要素は、イオン源または殺菌材料を殺菌溶液に変換し、各構成要素は、別個の実施形態において別個に利用することができる。
【００３８】
図示する実施形態は殺菌ワイプ２００を示し、殺菌ワイプ２００は、殺菌材料１０６、イオン源１０４、第２イオン源１１２、バッテリ１１４、研磨材１１６、ポケット１１８、及び電解質電池１２０を含む。図示する実施形態は、液体容器１２４、取出し開口１２６、及び集積センサ１２８も含む。図示する実施形態は、水溶液１０８、電源１３０、及びハンドル１３２も示す。
【００３９】
一部の実施形態はバッテリまたはガルバニ電池１１４を含む。一部の実施形態では、バッテリ１１４がバッテリ陽極１１４Ａ及びバッテリ陰極１１４Ｂを含む。一部の実施形態では、バッテリ陽極１１４Ａが亜鉛、マグネシウム、アルミニウム、及び／または他の適切な材料を含む。一部の実施形態では、バッテリ陰極１１４Ｂが炭素、塩化銀、酸化銀、酸化マンガン、及び／または他の適切な材料を含む。一部の実施形態では、水溶液１０８を用いてバッテリ１１４を活性化する。一部の実施形態では、水溶液１０８が塩化ナトリウム溶液を含む。一部の実施形態では、バッテリ１１４を活性化するために用いる水溶液１０８が、塩化ナトリウム緩衝液を含む。一部の実施形態では、固体塩化ナトリウムを基板１０２内に埋め込んで、ワイプ１００を水溶液１０８で濡らすと塩化ナトリウム溶液を生成する。一部の実施形態では、基板１０２がバッテリ陽極１１４Ａとバッテリ陰極１１４Ｂとの間の絶縁層として機能する。一部の実施形態では、バッテリ陽極１１４Ａ及び／またはバッテリ陰極１１４Ｂを、全体的または部分的に基板１０２上に印刷する。一部の実施形態では、バッテリ陽極１１４Ａ及び／またはバッテリ陰極１１４Ｂを、全体的または部分的に基板１０２内に埋め込む。一部の実施形態では、複数のバッテリ１１４を用いる。一部の実施形態では、複数のバッテリ１１４を直列及び／または並列に電気が通じるように構成して、電圧及び／または電流を増加させる。一部の実施形態では、バッテリ１１４が少なくとも３ボルトを発生するように構成されている。一部の実施形態では、バッテリ１１４が少なくとも６ボルトを発生するように構成されている。
【００４０】
一部の実施形態では、前駆体物質１１４Ｃを陽極１１４Ａ、陰極１１４Ｂ、及び基板１０２のうち１つに付着させることができる。一部の実施形態では、前駆体物質１１４Ｃが食塩または他のイオン源であり、これにより、陰極１１４Ｂまたは陽極１１４Ａが液体または水溶液１０８に接触するとガルバニ電池１１４が形成されて、イオンが殺菌溶液１１０を形成する。この食塩は塩化ナトリウムとすることができ、ガルバニ電池１１４は、水溶液１０８の存在下で塩化ナトリウムを次亜塩素酸ナトリウムに変化させることができる。一部の実施形態では、前駆体物質１１４ＣがAgO、AgCl、AgBr、及びAg2Oのうち１つであり、ガルバニ電池の影響下で反応に加わって、銀または銀イオンを含む殺菌溶液１１０を形成する。陽極１１４Ａ及び陰極１１４Ｂは、ガルバニ電池構成において酸化されるか還元するかのいずれかで殺菌溶液１１０を形成する前駆体物質を含むか、こうした前駆体物質から形成することができる。基板１０２、陽極１１４Ａ、または陰極１１４Ｂ内の前駆体物質１１４Ｃは、Al、Mg、Zn、C、Ag、Ca、Na、これらの物質を含むハロゲン化物、またはガルバニ電池１１４の影響下で、あるいはバッテリのような電源１３０の影響下で殺菌溶液１１０の形成を促進する他の適切な前駆体物質を含むことができる。一部の実施形態では、水溶液１０８がクエン酸であり、前駆体物質１１４ＣがAgを含み、これによりクエン酸銀が形成される。
【００４１】
一部の実施形態では、追加的イオン源または第２イオン源１１２が基板１０２内に埋め込まれている。一部の実施形態では、第２イオン源１１２を溶液に晒すことにより第２イオン源１１２が解離して水溶液１０８になり、この水溶液を用いてバッテリ１１４を活性化することができる。一部の実施形態では、追加的イオン源１１２が、何らかの殺菌イオンと反応して沈殿物を形成するアニオンを含まない。
【００４２】
一部の実施形態では、陽極１１４Ａ及び陰極１１４Ｂの少なくとも一方を基板１０２上に印刷する。陽極１１４Ａ及び陰極１１４Ｂは、基板１０２の第１面の互いに対向する端部または同じ端部上に印刷することができる。一部の実施形態では、基板１０２が複数の層を有し、陽極１１４Ａを第１層に取り付け、陰極１１４Ｂを第２層に取り付けることができる。
【００４３】
一部の実施形態は、電解質電池構成１２０を含む。一部の実施形態では、イオン源１０４を電解質電池１２０とすることができる。一部の実施形態では、この電解質電池が、通電される電解質陽極１２０Ａ及び電解質陰極１２０Ｂを含んで、電解質電池１２０の電極間に電流が供給されると殺菌イオンを生成する。一部の実施形態では、陽極１２０Ａが酸化可能な金属を含む。
【００４４】
一部の実施形態では、電解質電池１２０が銀の電解質陽極１２０Ａ及び電解質陰極１２０Ｂを含んで、電解質陽極１２０Ａと電解質陰極１２０Ｂとの間に電流が供給されると銀イオンを生成する。一部の実施形態では、電解質陽極１２０Ａが、純元素の銀、９９．９９％の銀、９５％以上の銀、９０％以上の銀、及び／または銀でコーティングした金属を含む。一部の実施形態では、電解質陰極１２０Ｂが、純元素の銀、９９．９９％の銀、９５％以上の銀、９０％以上の銀、銀でコーティングした金属、及び／または銀より低反応性の金属を含む。
【００４５】
電解質電池１２０によって生成される銀イオンの速度及び量は、電解質陽極１２０Ａ及び電解質陰極１２０Ｂに供給する電圧及び／または電流を制御することによって制御することができることは、当業者の理解する所である。生成される銀イオンの速度及び量は、電解質陽極１２０Ａ及び電解質陰極１２０Ｂに供給する電流を供給する継続時間によって制御することもできる。生成される銀イオンの速度及び量は、電解質陽極１２０Ａ及び電解質陰極１２０Ｂのサイズ及び形状によって制御することもできる。
【００４６】
一部の実施形態では、電解質陽極１２０Ａ及び電解質陰極１２０Ｂを、殺菌溶液１１０中の銀イオンが最適濃度に近付くように構成することができる。一部の実施形態では、銀イオンの最適濃度が約０．０３g/Lである。一部の実施形態では、銀イオンの最適濃度が約０．０２〜０．０４g/Lである。
【００４７】
一部の実施形態では、電解質電池１２０が、炭素を含む電解質陽極１２０Ａ、炭素を含む電解質陰極１２０Ｂ、及び塩化ナトリウム溶液を含んで、次亜塩素酸ナトリウムの殺菌溶液１１０を生成する。一部の実施形態では、炭素の電解質陽極１２０Ａ及び炭素の電解質陰極１２０Ｂが、インクとして基板１０２上に印刷されるように構成されている。一部の実施形態では、炭素の電解質陽極１２０Ａ及び炭素の電解質陰極１２０Ｂが、基板１０２内に埋め込まれるように構成されている。一部の実施形態では、電解質電池１２０が、有効な殺菌溶液１１０を生成するのに十分な次亜塩素酸ナトリウムの濃度を生成するように構成されている。電解質電池１２０内に用いる水溶液１０８は、バッテリ１１４を活性化するために用いる水溶液１０８と同一または異なる水溶液とすることができる。一部の実施形態では、電解質電池１２０内に用いる水溶液１０８が、銀イオンと反応して沈殿物を生成するアニオンを含まない。
【００４８】
一部の実施形態では、電解質電池１２０が電解質陽極１２０Ａ及び電解質陰極１２０Ｂを具え、これらは十分な電圧及び／または電流で給電されてオゾン殺菌溶液を生成する。一部の実施形態では、電解質電池１２０が、十分にオゾン化された水を生成して有効な殺菌溶液１１０を実現するように構成されている。一部の実施形態では、電解質陽極１２０Ａ及び電解質陰極１２０Ｂが、インクとして基板１０２上に印刷されるように構成されている。一部の実施形態では、電解質陽極１２０Ａ及び電解質陰極１２０Ｂを基板１０２上にスクリーン印刷して、殺菌ワイプを作製する。一部の実施形態では、電解質陽極１２０Ａ及び電解質陰極１２０Ｂが基板１０２内に埋め込まれるように構成されている。一部の実施形態では、電解質陽極１２０Ａ及び電解質陰極１２０Ｂが、フレキシブル基板１０２内に、フレキシブル基板１０２の異なる層間に集積されている。一部の実施形態では、電解質陽極１２０Ａ及び電解質陰極１２０Ｂが、フレキシブル基板内に、フレキシブル基板１０２の同一面の互いに対向する端部に集積されている。一部の実施形態では、互いに電気が通じる一連の電解質陽極１２０Ａ及び電解質陰極１２０Ｂを基板１０２内に集積することができる。一部の実施形態では、バッテリ１１４を電解質陽極１２０Ａ及び電解質陰極１２０Ｂに取り付けて、さらに通電することができる。一部の実施形態では、電解質陽極１２０Ａ及び電解質陰極１２０Ｂが少なくとも３ボルトを受けるように構成されている。一部の実施形態では、電解質陽極１２０Ａ及び電解質陰極１２０Ｂが少なくとも６ボルトを受けるように構成されている。一部の実施形態では、電解質陽極１２０Ａが、Bi2RuO3、白金、銀、金、またはそれらの混合物を含む。一部の実施形態では、電解質陰極１２０Ｂが、ニッケル、銀、炭素、白金、またはそれらの混合物を含む。一部の実施形態では、陽極１２０Ａまたは陰極１２０Ｂが、炭素、銀、白金、チタニウム、貴金属、及び希土類（レアアース）金属を含むことができる。
【００４９】
一部の実施形態では、酸化可能な化合物が、陽極１２０Ａ及び陰極１２０Ｂが塩化ナトリウム溶液に接触すると電解質電池１２０が次亜塩素酸ナトリウムの殺菌溶液１１０を生成するように構成されている。他の実施形態では、電解質電池１２０が、さらに、電解質電池１２０の活性化時にオゾン化水の殺菌溶液１１０を生成するように構成されている。一部の実施形態では、追加的イオン源１１２を基板１０２内に埋め込んで、溶液に晒されると、追加的イオン源１１２が解離して水溶液１０８を生成し、この水溶液を電解質電池１２０内に用いるか、この水溶液を用いてバッテリ１１４を活性化することができるようにする。一部の実施形態では、追加的イオン源１１２が、何らかの殺菌イオンと反応して沈殿物を形成するアニオンを含まない。
【００５０】
陽極及び陰極に電圧を印加すると殺菌溶液１１０を生成するために、電極材料、コーティング、及び前駆体物質の組合せを種々の方法で構成することができることは、当業者にとって明らかである。例えば、電解質電池構成１２０が、塩化ナトリウムの反応を促進して次亜塩素酸ナトリウムを生成することができる。他の実施形態では、電解質電池が、H2Oを含む反応を促進して、電解質電池の活性化時にオゾン化水溶液を含む殺菌溶液を生成することができる。
【００５１】
一部の実施形態では、陽極及び／または陰極が、C、Ag、Au、Pt、Ti、貴金属、または希土類金属を含むことができる。上記前駆体物質は、Ca(Cl2)、NaCl、Na(Cl2)、及びMg(Cl2)のような化合物を含むハロゲン化物を含むことができ、塩素は、ヨウ素、臭素、またはフッ素のような他の適切なハロゲン化物に置き換えることができる。この構成では、電解質電池１２０に対する電源１３０の影響下で、次の対応する反応のうち１つが発生して殺菌溶液を生成することができる：
Ca(Cl2)  →  Ca(ClO)2
NaCl    →  NaClO
Na(Cl2)  →  Na(ClO)2
Mg(Cl2)  →  Mg(ClO)2
【００５２】
一部の実施形態では、基板１０２が研磨材１１６をさらに含む。一部の実施形態では、この研磨材が不活性系の研磨材である。研磨材１１６は、セラミック、ガラス、ミネラル、合成石、天然繊維、研磨剤、金属ペレット、シリカ、またはそれらの組合せを含むことができる。研磨材１１６は、基板１０２上にコーティングするか、基板１０２に接着するか、さもなければ基板１０２内に集積することができる。不活性系の研磨剤１１６は、殺菌ワイプでのより効果的な清浄化及び洗浄を可能にする。
【００５３】
一部の実施形態では、基板１０２を、殺菌イオン源１０４、あるいは殺菌材料１０６を保持するためのポケット１１８をさらに含むように構成することができる。一部の実施形態では、基板１０２を、殺菌イオン源１０４を保持するための詰め替え可能なポケット１１８を含むように構成することができ、ポケット１１８はその後に殺菌イオン源１０４で満たすことができる。一部の実施形態では、基板１０２が１つの層を含むことができる。一部の実施形態では、フレキシブル基板１０２を２つ以上の層にすることができる。一部の実施形態では、適切な材料を基板１０２上に縫い付けることによってポケット１１８を形成することができる。一部の実施形態では、ポケット１１８を、基板１０２内に、基板１０２の第１層と第２層との間に形成することができる。ポケット１１８は、殺菌イオン源１０４を、電気化学電池の形態または他の適切な形態で保持することができ、殺菌イオン源１０４は、水の存在下で溶解して清浄化に有益な殺菌溶液１１０を形成する。一部の実施形態では、ポケット１１８が、さらにバッテリ１１４を含むように構成されている。一部の実施形態では、ポケット１１８内のバッテリ１１４を、電気接続を介して、ポケット１１８の内部またはポケット１１８の外部の電解質電池１２０に接続することができる。殺菌イオン源１０４を保持しポケット１１８内の殺菌イオン源１０４の交換を可能にするために、ポケット１１８をいくつもの構成にすることができることは、当業者にとって明らかである。
【００５４】
一部の実施形態では、ワイプ２００が、陽極１２０Ａ及び陰極１２０Ｂに通電する電源１３０を含む。一部の実施形態では、陽極１２０Ａ、陰極１２０Ｂ、及び電源１３０が電解質電池１２０を形成するように構成され、これにより、電源１３０から陽極１２０Ａ及び陰極１２０Ｂに電圧が印加されると、イオン源１０４または上記前駆体物質が反応に加わって殺菌溶液１１０を形成する。ガルバニ電池１１４と同様に、電解質電池１２０は、酸化して殺菌イオン種になることができる酸化可能な化合物である前駆体物質を少なくとも部分的に含む陽極１２０Ａを有することができる。一部の実施形態では、酸化可能な化合物が酸化可能な銀を含み、殺菌イオン種が銀イオンを含む。
【００５５】
一部の実施形態では、電源１３０が陽極１２０Ａ及び／または陰極１２０Ｂを分極させ、これによりワイプ２００が「帯電」する。ワイプ２００のこれらの帯電部分は、逆帯電する塵埃及び／または微生物を誘引してこれらを表面または清浄化されるあらゆるものから除去する。一部の実施形態では、バッテリ１１４が電源１３０である。
【００５６】
一部の実施形態はコンテナ１２２を含む。一部の実施形態では、殺菌ワイプ１００が、コンテナ１２２から単一のワイプとして取り出される。一部の実施形態では、コンテナ１２２が複数の乾燥ワイプを保持するように構成されている。一部の実施形態では、一度に単一のワイプが、コンテナ１２２から取出し開口１２６を通して取り出される。その後に、単一のワイプを使用して廃棄する。
【００５７】
一部の実施形態では、上記ワイプが、閉じたコンテナ１２２内で個別に密封された使い捨てワイプ１００として構成される。一部の実施形態では、基板１０２及び殺菌イオン源１０４が、閉じたコンテナ１２２内に液体または水溶液１０８なしに封入されている。一部の実施形態では、適切な水溶液１０８の液体容器１２４が、閉じたコンテナ１２２内に集積されている。一部の実施形態では、ユーザが水溶液１０８を液体容器１２４から放出して閉じたコンテナ１２２を満たして、殺菌イオン源１０４を活性化させる。一部の実施形態では、液体容器１２４を適切な溶液と共に予め包装する。一部の実施形態では、ユーザが液体容器１２４を適切な溶液で満たす。
【００５８】
一部の実施形態では、閉じたコンテナ１２２が、さらに集積センサ１２８と共に構成される。一部の実施形態では、集積センサ１２８が、個別の重力センサ、比重計、pHセンサ、温度センサ、及び／またはイオン強度センサを含む。一部の実施形態では、集積センサ１２８が、閉じたコンテナ１２２の殺菌イオン濃度をユーザに伝えるように構成されている。一部の実施形態では、集積センサ１２８が、殺菌溶液１１０の殺菌イオン濃度が最適レベルに達した時点をユーザに示すように構成されている。一部の実施形態では、集積センサ１２８が、殺菌溶液１１０の殺菌イオン濃度が最適レベルを超えた時点をユーザに示すように構成されている。一部の実施形態では、集積センサ１２８が、ワイプ及び殺菌イオン溶液１１０が使用可能な状態である時点をユーザに示すように構成されている。一部の実施形態では、集積センサ１２８が、殺菌溶液１１０が使用可能な状態でない時点をユーザに示すように構成されている。
【００５９】
一部の実施形態では、バッテリ１１４または電源１３０がハンドル（取っ手）１３２内に配置されている。ハンドル１３２は、バッテリ１１４と電解質陽極１２０Ａ及び電解質陰極１２０Ｂとの間の対応する電気接続を含むように構成することができる。一部の実施形態では、ハンドル１３２を、電解質陽極１２０Ａ及び電解質陰極１２０Ｂに着脱可能に取り付けられるように構成し、これにより、ハンドル１３２を、２つ以上の電気化学的に活性化される殺菌ワイプと共に利用することができる。
【００６０】
一部の実施形態では、電源１３０がハンドル１３２内に集積されている。ハンドル１３２は、ブラシまたはモップ型ハンドル、あるいは握って拭くのに適したあらゆる装置にすることができる。ハンドル１３２は、陽極１２０Ａ及び陰極１２０Ｂと電気が通じるように構成することができる。ハンドル１３２は基板１０２に着脱可能に取り付けることができる。一部の実施形態では、陽極１２０Ａ及び陰極１２０Ｂが共に基板１０２に取り付けられる。
【００６１】
図３に、図１及び図２の基板１０２及びイオン源１０４の一具体例を示し、イオン源１０４は基板１０２上に印刷されている。図示する具体例は、基板１０２内に埋め込まれた殺菌イオン源１０４を含む。殺菌イオン源１０４は、水溶液１０８に晒されると溶解して殺菌溶液１１０を生成するように構成されている。
【００６２】
図４Ａに、ポケット１１８及び殺菌イオン源１０４を含む基板１０２の一具体例を示す。一部の実施形態では、基板１０２を、殺菌イオン源１０４を保持するためのポケット１１８をさらに含むように構成することができる。一部の実施形態では、基板１０２を、殺菌イオン源１０４を保持するための詰め替えポケット１１８を具えるように構成することができ、ポケット１１８はその後に殺菌イオン源１０４で満たすことができる。一部の実施形態では、適切な材料を基板１０２上に縫い付けることによって、ポケット１１８を基板１０２上に形成することができる。ポケット１１８は、殺菌イオン源１０４を電気化学電池の形態または他の適切な形態で保持することができ、殺菌イオン源１０４は、水または水溶液１０８の存在下で溶解して、清浄化に有益な殺菌溶液１１０を形成することができる。
【００６３】
図４Ｂに、基板１０２及び２層間の殺菌イオン源１０４の一具体例を示す。一部の実施形態では、基板１０２が１つの層４０２を含むことができる。他の実施形態では、基板１０２を２つ以上の層とすることができる。一部の実施形態では、ポケット１１８を、基板１０２内に、基板１０２の２つの層（４０２、４０４）間に形成することができる。
【００６４】
図５Ａに、図２のコンテナ１２２の一具体例を示す。一部の実施形態では、殺菌ワイプ１００が、単一のワイプとしてコンテナ１２２から取り出されるように構成されている。一部の実施形態では、コンテナ１２２が複数の乾燥ワイプを保持するように構成されている。一部の実施形態では、一度に単一のワイプが、コンテナ１２２から取出し開口１２６を通して取り出される。その後に、この単一のワイプを使用して廃棄する。一部の実施形態では、ワイプがコンテナ１２２から除去される際に、取出し開口が水溶液１０８を塗布するように構成されている。
【００６５】
図５Ｂに、図２のコンテナ１２２の一具体例を示す。一部の実施形態では、ワイプが使い捨てワイプとして構成され、閉じたコンテナ１２２内で個別に密封されている。一部の実施形態では、基板１０２及び殺菌イオン源１０４が、閉じたコンテナ１２２内に液体または水溶液１０８なしに封入されている。一部の実施形態では、適切な溶液の液体容器１２４が閉じたコンテナ１２２内に集積されている。一部の実施形態では、ユーザが液体または水溶液１０８を液体容器１２４から放出して閉じたコンテナ１２２を満たして、殺菌イオン源１０４を活性化する。一部の実施形態では、液体容器１２４を適切な溶液と共に予め包装する。一部の実施形態では、ユーザが液体容器１２４を適切な溶液で満たす。
【００６６】
一部の実施形態では、閉じたコンテナ１２２が、さらに集積センサ１２８と共に構成される。一部の実施形態では、集積センサ１２８が、図２に関連して上述した構成要素及び機能を含む。
【００６７】
図６に、図２のバッテリ１１４の一具体例を示す。図示する具体例は、バッテリ陽極１１４Ａとバッテリ陰極１１４Ｂとを隔離及び／または絶縁してバッテリセルを形成する絶縁層６０２を含む。一部の実施形態では、いくつかのバッテリセルを電気接続６０４で並列または直列に接続する。一部の実施形態では、バッテリ１１４を水溶液１０８で濡らすと電流が生成される。
【００６８】
図７に、図３の電解質電池の一具体例を示す。図示する具体例では、電解質電池１２０が、電解質陽極１２０Ａ、電解質陰極１２０Ｂ、及び水及び／または水溶液１０８を含む。電解質電極１２０Ａは、電流の影響下で次式のように酸化されて銀イオン７０２を生成することができる酸化可能な銀を含む：
陽極：  Ag → Ag+＋ｅ-
【００６９】
図８に、基板１０２に接続されたバッテリ１１４及び電解質電池１２０の一具体例を示す。図示する具体例はバッテリ１１４及び電解質電池１２０を含み、これらが組み合わさって殺菌溶液１１０を生成する。一部の実施形態では、バッテリ１１４が上述したように構成され、上述したように構成された電解質電池１２０から隔離及び／または絶縁されている。一部の実施形態では、バッテリ１１４が基板１０２内に埋め込まれて、バッテリ１１４を電解質電池１２０から隔離する。一部の実施形態では、水及び／または水溶液１０８がバッテリ陽極１１４Ａ及びバッテリ陰極１１４Ｂに塗布されると、バッテリが電流を生成する。バッテリ１１４からの電流は電解質電池１２０に供給される（７０２、７０４）。上述したように、電解質電池１２０に電流が供給されると、電解質陽極１２０Ａ及び電解質陰極１２０Ｂに電流が供給されて、殺菌溶液１１０が生成される。
【００７０】
例として、バッテリ１１４が、亜鉛を含むバッテリ陽極１１４Ａ及び酸化マンガンを含むバッテリ陰極１１４Ｂを含む。バッテリ陽極１１４Ａ及びバッテリ陰極１１４Ｂは共に、基板１０２の内層上に印刷され、この内層は基板１０２の外層から絶縁され隔離されている。固体塩化ナトリウムが、基板１０２の内層内に埋め込まれている。基板１０２の内層は２mlの蒸留水で濡らされて、塩化ナトリウムを溶解して塩化ナトリウム溶液を生成する。この塩化ナトリウム溶液はバッテリ１１４を活性化する。バッテリ１１４が電解質電池１２０に給電する。
【００７１】
電解質電池１２０は、９９．９９％の銀を含む電解質陽極１２０Ａ、及び９９．９９％の銀を含む電解質陰極１２０Ｂを含み、これらは共に基板１０２の外層上に印刷されている。銀の電解質陽極１２０Ａは、合計約２mlの銀イオン殺菌溶液を約０．０３g/Lの銀イオン濃度で生成するのに十分な金属銀を含む。固体クエン酸が基板１０２内に埋め込まれて、基板１０２の外層が濡らされるとクエン酸の水溶液１０８を生成する。基板１０２の外層は２mlの蒸留水で濡らされる。電解質電池１２０が給電されて銀イオン殺菌溶液１１０を生成し、銀イオン殺菌溶液１１０は基板１０２内に吸収される。約０．０３g/Lの最適濃度に達するのに十分な時間が経過すると、ワイプを用いて表面を殺菌する。
【００７２】
図９Ａに、図２のハンドル１３２の一具体例を示す。一部の実施形態では、このハンドルを、ブラシまたはモップ、あるいは握って拭くのに適したあらゆる装置にすることができる。このハンドルは、陽極１２０Ａ及び陰極１２０Ｂと電気が通じるように構成することができる。一部の実施形態では、電源１３０がハンドル１３２内に集積されている。ハンドル１３２は基板１０２に着脱可能に取り付けることができる。一実施形態では、陽極１２０Ａ及び陰極１２０Ｂ（図示せず）が基板１０２に取り付けられている。ハンドル１３２が基板１０２に取り付けられている場合、ハンドル１３２は、電源１３０に接続された接点またはパッド９０２を有し、接点または導体パッド９０２は、基板１０２内に構成され同様に配置された接点または導体パッドに対応する。基板の接点または導体パッドは、陽極１２０Ａ及び陰極１２０Ｂとすることができる。
【００７３】
図９に、図２のハンドル１３２の他の具体例を示す。一部の実施形態では、ハンドル１３２が電源１３０と電気が通じるポスト９０４を含み、これにより、基板１０２がハンドル１３２に取り付けられると、ポスト９０４のうち１つが基板１０２上の陽極と電気が通じ、他のポスト９０４が基板１０２上の陰極と電気が通じる。ポストとパッドの組合せを利用して、陽極及び陰極が、基板１０２のどちらの面に配置されていても、あるいは基板１０２上のどこに配置されていても、基板１０２がハンドル１０２に取り付けられると、電源が陽極及び陰極に通電する。
【００７４】
図９Ｃに、図２のハンドル１３２の他の具体例を示す。一部の実施形態では、陽極１２０Ａ及び陰極１２０Ｂの一方のみが基板１０２に取り付けられ、他方はハンドル１３２に取り付けられる。一部の実施形態では、陽極１２０Ａまたは陰極１２０Ｂを、基板１０２の一部分、あるいは全面に沿ってスクリーン印刷することができる。この面はハンドル１３２とは反対側の面とすることができる。こうした実施形態では、基板１０２を電気絶縁し、これにより陽極１２０Ａと陰極１２０Ｂとを互いに絶縁することができる。
【００７５】
図１〜９Ｃに概略を示す、以上の殺菌ワイプを使用する方法は、フレキシブル基板を水溶液で濡らすステップと、フレキシブル基板に接触した殺菌材料を水溶液で濡らして殺菌溶液を生成するステップと、フレキシブル基板を含む殺菌溶液で物体の表面を殺菌するステップとを含む。他の実施形態は、水溶液で回路を完成させることによってフレキシブル基板上の電解質電池を活性化するステップと、この電解質電池で殺菌溶液を生成するステップとを含む。他の実施形態は、フレキシブル基板上のバッテリを水溶液で活性化するステップと、電解質電池にエネルギーを供給して殺菌溶液を生成するステップと、この基板で表面を殺菌するステップとを含む。当業者は、本明細書に説明する実施形態に整合する他の方法を認識する。
【００７６】
本発明は、その基本原理または本質的特徴から逸脱することなしに、他の特定の形態で具体化することができる。説明した実施形態は、あらゆる面で例示的であり、限定的ではない。従って、本発明の範囲は、以上の説明ではなく添付した特許請求の範囲によって示される。特許請求の範囲の等価物の意味及び範囲内に入るすべての変更は、特許請求の範囲に包含されるべきものである。
【００７７】
上述した実施形態の各態様は、実施形態のいずれか、あるいは全部に存在することもしないこともあり、ある実施形態における１つの態様または特徴の参照は、こうした態様または特徴が他の実施形態に存在しないか存在し得ないものと解釈すべきではない。本発明は、その基本原理または本質的特徴から逸脱することなしに、他の特定形態で具体化することができる。説明した実施形態は、あらゆる面で例示的であり限定的ではないと考えるべきである。従って、本発明の範囲は、以上の説明ではなく添付した特許請求の範囲によって示される。特許請求の等価物の意味及び範囲内に入るすべての変更は、特許請求の範囲に包含されるべきものである。
【００７８】
以上の説明では、種々の実施形態の具体的な詳細を提供する。しかし、一部の実施形態は、これらの具体的詳細の全部が揃わなくても実施することができる。他の例では、簡単かつ明瞭にするため、特定の方法、手順、構成要素、構造、及び／または機能を、本発明の種々の実施形態を可能にする以上に詳しく説明していない。
【００７９】
本明細書では、方法の動作を特定順序で図示し説明しているが、各方法の動作の順序は、特定の動作を逆の順序で実行することができるように、あるいは特定の動作を、少なくとも部分的に、他の動作と同時に実行することができるように変更することができる。他の実施形態では、別個の動作の命令または部分動作を、断続的及び／または交互する様式で実現することができる。
【００８０】
本発明の特定実施形態を説明し図示してきたが、本発明は、このように説明し図示した部分の特定形態または構成に限定されるべきものではない。本発明の範囲は、本明細書に添付した特許請求の範囲及びその等価物によって規定される。
【図１】
2016530910.tif 000003
【図２】
2016530910.tif 000004
【図３】
2016530910.tif 000005
【図４Ａ】
2016530910.tif 000006
【図４Ｂ】
2016530910.tif 000007
【図５Ａ】
2016530910.tif 000008
【図５Ｂ】
2016530910.tif 000009
【図６】
2016530910.tif 000010
【図７】
2016530910.tif 000011
【図８】
2016530910.tif 000012
【図９Ａ】
2016530910.tif 000013
【図９Ｂ】
2016530910.tif 000014
【図９Ｃ】
2016530910.tif 000015
【国際調査報告】
2016530910.tif 000016
2016530910.tif 000017
2016530910.tif 000018